(57)【特許請求の範囲】
【請求項１】
加圧容器からのガスの放出を制御する器具であって、前記器具は：
栓を貫通する流路を備える栓と、
前記流路内に設けられるダイヤフラムであって、前記ダイヤフラムが、初期状態で、前記流路内を流れるガス流を阻止するように構成され、破裂可能または変位可能であることにより、一旦、前記ダイヤフラムが破裂するか、または変位すると、ガスが前記流路内を流れることができる、前記ダイヤフラムと、
前記栓の内部に配置されるねじと、を備え、前記ねじは、前記ねじが回転すると、前記ダイヤフラムに向かって移動するように構成されるランス（やり状突起）を備え、前記ランスは、一旦、前記ねじが所定の量だけ回転すると、前記ダイヤフラムを破裂させることにより、または変位することにより、ガス流が前記流路内を流れて前記栓から流出することができるように構成され、
前記栓、前記ねじ、及び前記ダイヤフラムは、単体ユニットとして形成されるとともに、単体ユニットとして着脱交換可能または取り替え可能であり、前記ダイヤフラムは、所定の位置に、締りばめ機構、圧入機構、またはスナップ嵌合機構で保持される、または、前記栓の本体と一体に設けられる、器具。
【請求項２】
前記ランスは、非円形横断面を備える、請求項１に記載の器具。
【請求項３】
前記流路及び前記ねじは、前記栓の長手方向軸線と同軸上に配置される、請求項１又は２に記載の器具。
【請求項４】
前記ねじは回転可能で最長距離を前進することにより、前記栓の内部に入り込むことができ、前記最長距離の位置では、ガスが、前記流路内を流れて前記栓から流出することができる、請求項１、２、又は３に記載の器具。
【請求項５】
前記流路は、相対的に小さい直径を有する第１流路部分と、相対的に大きい直径を有し、かつねじ切り部を含む第２流路部分と、を備え、
前記ねじは、相対的に小さい直径を有し、かつ前記ランスを含むランス部と、相対的に大きい直径を有し、かつ前記流路の前記ねじ切り部と螺合するように構成されるねじ切り部と、を備え、
前記栓は、前記流路の前記第１流路部分から前記栓の外側表面まで延在して、ガスを前記流路の前記第１流路部分から外部環境に放出する１つ以上のガス流路またはガス流出口を備える、請求項１から４のいずれか一項に記載の器具。
【請求項６】
前記ダイヤフラムは、前記流路の前記第１流路部分の内部に配置される、請求項５に記載の器具。
【請求項７】
前記ダイヤフラムは、前記流路の前記第１流路部分の端部に配置される、請求項５又は６に記載の器具。
【請求項８】
前記ねじの前記ランス部は、前記流路の前記第１流路部分の内部に突出する、請求項５、６、又は７に記載の器具。
【請求項９】
前記ねじは、前記栓に対して回転することができる、請求項１から８のいずれか一項に記載の器具。
【請求項１０】
前記ねじは、前記栓から取り外すことができる、請求項１から９のいずれか一項に記載の器具。
【請求項１１】
ガス流出口を有する加圧容器と、
請求項１から１０のいずれか一項に記載の器具であって、前記器具が、前記ガス流出口の内部に少なくとも部分的に配置されて、初期状態で、ガス流が前記ガス流出口から流出するのを阻止する、前記器具と、を備え、
前記ダイヤフラムを破裂させると、または変位すると、ガスが、前記ガス流出口から外部環境に前記流路を通って流出するように設定される、装置。
【請求項１２】
前記加圧容器は、主流出口と、補助流出口と、を備え、前記器具または前記栓は、前記補助流出口の内部に少なくとも部分的に配置されて、初期状態で前記補助流出口から流出するガス流を阻止する、請求項１１に記載の装置。
【請求項１３】
前記加圧容器は、流出口バルブを備え、前記器具または前記栓は、前記流出口バルブの内部に少なくとも部分的に配置される、請求項１１に記載の装置。
【請求項１４】
請求項１から１０のいずれか一項に記載の器具、または請求項１１から１３のいずれか一項に記載の装置を使用する方法であって：
前記ねじを、前記器具または前記栓に対して所定の程度に回転させて、前記ねじのランスが前記ダイヤフラムを破裂させることにより、または変位することにより、ガスを前記ガス流出口から外部環境に前記流路を通って流出させることができるステップを含む、方法。
【発明の詳細な説明】
【技術分野】
【０００１】
本開示は概して、加圧容器からのガスの放出を制御する器具に関するものである。
【背景技術】
【０００２】
加圧容器は、多くの用途に広く使用されている。例えば、消防安全産業では、不活性ガスを容器内に高圧で保管することができる。当該ガスを使用して、部屋又は航空機のような施設内の火災を抑制することができる、またはエアバッグのような安全器具を膨張させることができる。通常、加圧容器から外部へのガスの放出を制御するバルブが配設される。
【発明の概要】
【発明が解決しようとする課題】
【０００３】
特定の状況では、このような容器を減圧する必要があることが分かっている、またはこのような容器を減圧することが望ましいことが分かっている。従って、望ましいのは、容器を減圧する効果的な方法である。
【課題を解決するための手段】
【０００４】
本開示によれば、加圧容器からのガスの放出を制御する装置または器具が提供され、器具は：
栓を貫通する流路を備える栓と、
流路内に設けられるダイヤフラムであって、ダイヤフラムが、初期状態で、流路内を流れるガス流を阻止するように構成され、破裂可能または変位可能であることにより、一旦、ダイヤフラムが破裂するか、または変位すると、ガスが流路内を流れることができる、ダイヤフラムと、
栓の内部に配置されるねじと、を備え、ねじは、ねじが回転すると、ダイヤフラムに向かって移動するように構成されるランスランスを備え、ランスは、一旦、ねじが所定の量だけ回転すると、ダイヤフラムを破裂させることにより、または変位することにより、ガス流が流路内を流れて栓から流出することができるように構成され、
この場合、設けるかどうかが任意の栓、ねじ、及びダイヤフラムは、単体ユニットとして着脱交換可能または取り替え可能である。すなわち、栓を移動させることにより、または栓を取り外すことにより、ねじ及びダイヤフラムを自動的に移動させることができる、またはねじ及びダイヤフラムを自動的に取り外すことができる。
【０００５】
説明される器具は、器具の構成部材が単体ユニットとして着脱交換可能または取り替え可能であるので、加圧室に抜き差しする簡単かつ効果的な手段として使用することができる。従来の器具は、例えば栓とは別体であり、かつ使用が容易ではないダイヤフラムを使用する必要がある。加圧容器からのガスの放出を制御する従来の器具よりも更に優れた利点を有する更に別の特徴について以下に説明する。
【０００６】
栓は、加圧容器の流出口に抜き差しするように構成することができる。器具は、栓、ダイヤフラム、及びねじにより構成することができる。ダイヤフラムは栓に溶接することができる。ダイヤフラムは、栓及び／又は流路の端部に配置することができ、栓及び／又は流路は、加圧容器の流出口の内部に配置することができる、または前記加圧容器の流出口の内部に配置される。
【０００７】
ランスは、非円形横断面を備えることができる。例えば、ランスは、三角形、四角、五角形、六角形、楕円形、放物線形、双曲線形、または多角形の横断面を備えることができる。横断面は、閉鎖平面形状を備えることができる、または３つ以上の辺を有する形状を備えることができる。
【０００８】
非円形横断面は、ランスの殆どの長さに沿って設けることができる。ランスは、ダイヤフラムを初期状態で破裂させる、または変位させる尖鋭端部、例えば先鋭端を備えることができる。ランスは更に、非円形横断面を、尖鋭端部を除くランスの全長に沿って、または尖鋭端部を含むランスの全長に沿って備えることができる。
【０００９】
非円形横断面は、当該非円形横断面がランスの長さに沿って移動するにつれて変化する。例えば、横断面は、尖鋭端部まで四角とすることができ、尖鋭端部の位置で、横断面が矩形になり、この矩形は、ランスの先端または端部まで徐々に小さくなる。
【００１０】
流路及び／又はねじは、栓の長手方向軸線と同軸上に配置することができる。栓及び／又は流路及び／又はねじは、軸対称とすることができる。問題の軸線は、栓、流路、またはねじそれぞれの長手方向軸線とすることができる。
【００１１】
ねじは回転可能で所定の距離を前進することにより栓の内部に入り込み、所定の距離の位置では、ダイヤフラムが破裂することにより、変位することにより、ガスが、流路内を流れて栓から流出することができる。所定の距離は、ダイヤフラムが破裂する、または変位するように設定される位置までの距離でありうる。
【００１２】
ねじは回転可能でき最長距離を前進することにより栓の内部に入り込むことができ、最長距離の位置では、ガスが、流路内を流れて栓から流出することができる。
【００１３】
流路は、相対的に小さい直径を有する第１流路部分と、相対的に大きい直径を有し、かつねじ切り部を含む第２流路部分と、を備えることができる。
【００１４】
ねじは、相対的に小さい直径を有し、かつランスを含むランス部と、相対的に大きい直径を有し、かつ流路のねじ切り部と螺合するように構成されるねじ切り部と、を備えることができる。
【００１５】
器具は、流路の第１流路部分から栓の外側表面まで延在して、ガスを流路の第１流路部分から外部環境に放出する１つ以上のガス流路またはガス流出口を備えることができる。これらの流出口は、ガスが栓から使用中に漏れ出すときに、正味の力が栓に殆ど作用しないように配置することができる。例えば、２つの流出口が設けられる場合、これらの流出口は、中心流路から横方向に延在することができ、かつ互いに反対側に配置することができる。中心流路は、栓の中心軸線及び／又は長手方向軸線を基準に対称に配置することができる。
【００１６】
ダイヤフラムは、流路の第１流路部分の内部に配置することができ、かつ流路の第１流路部分の端部に、例えば加圧容器の流出口の内部に配置されるように構成される端部に配置することができる。
【００１７】
ねじのランス部は、流路の第１流路部分の内部に突出することができる。
【００１８】
ねじは、栓に対して回転することができ、かつ栓から取り外すことができる。
【００１９】
本開示の１つの態様によれば、装置が提供され、装置は：
ガス流出口を有する加圧容器と、
上に説明した器具と、を備え、器具は、流出口の内部に少なくとも部分的に配置されて、初期状態で、流出口から流出するガス流を阻止し、
ダイヤフラムを破裂させると、または変位させると、ガスは、流出口から流出して、流路を通って外部環境に流出するように設定される。
【００２０】
容器は、主流出口及び補助流出口を備えることができる。器具または栓は、補助流出口の内部に少なくとも部分的に配置されて、初期状態で、補助流出口から流出するガス流を阻止する、かつ／または制御することができる。
【００２１】
容器は流出口バルブを備えることができる。器具または栓は、流出口バルブの内部に少なくとも部分的に配置することができる。流出口バルブは、主流出口及び補助流出口を備えることができ、器具または栓は、補助流出口の内部に配置されて、補助流出口から流出する補助ガス流を阻止する、かつ／または制御することができる。器具を使用して、流出口バルブの一部に抜き差しする、または流出口バルブの一部を密封することができ、流出口バルブは、容器の圧力を、例えばバルブ内の密封機構または他の器具の手前で受けて、容器の内容物が、主流出口から漏れ出すのを阻止するように構成される。この場合、本明細書において記載される器具は、容器を、容器の内容物を主流出口から放出する必要を伴うことなく減圧する容易な手段となる。
【００２２】
本開示によれば、加圧容器からのガスの放出を制御する装置または器具が提供され、器具は：
栓を貫通する流路を備える栓と、
流路内に設けられるダイヤフラムであって、ダイヤフラムが、初期状態で、流路内を流れるガス流を阻止するように構成され、破裂可能または変位可能であることにより、一旦、前記ダイヤフラムが破裂するか、または変位すると、ガスが流路内を流れることができる、ダイヤフラムと、
栓の内部に配置されるねじと、を備え、ねじは、ねじが回転すると、ダイヤフラムに向かって移動するように構成されるランスを備え、ランスは、一旦、ねじが所定の量だけ回転すると、ダイヤフラムを破裂させることにより、または変位させることにより、ガス流が流路内を流れて、栓から流出することができるように構成され、
ねじは回転可能で、最長距離を前進することにより栓の内部に入り込むことができ、最長距離の位置では、ガスが、流出口流路内を流れて栓から流出する、例えば外部環境に流出することができる。
【００２３】
本開示によれば、加圧容器からのガスの放出を制御するキットが提供され、キットは：
栓を貫通する流路を備える栓と、
流路内に設けられるダイヤフラムであって、ダイヤフラムが、初期状態で、流路内を流れるガス流を阻止するように構成され、破裂可能または変位可能であることにより、一旦、ダイヤフラムが破裂するか、または変位してすると、ガスが流路内を流れることができる、ダイヤフラムと、
流路内に配置することができる第１ねじ、または第１ボルトであって、第１ねじ、または第１ボルトの長さが、第１ねじ、または第１ボルトがダイヤフラムに使用中に接触しないように設定される、第１ねじ、または第１ボルトと、
前記栓の内部に配置することができる第２ねじと、を備え、第２ねじは、前記第２ねじが回転すると、前記ダイヤフラムに向かって移動するように構成されるランスを備え、前記ランスは、一旦、前記第２ねじが所定の量だけ回転すると、前記ダイヤフラムを破裂させることにより、または変位させることにより、ガス流が前記流路内を流れて、前記栓から流出することができるように構成される。
【００２４】
第１ねじ、または第１ボルトの長さは、流路の長さを基準に設定することができる。例えば、流路がＸｃｍであり、かつダイヤフラムが、流路の端部に配置される場合、第１ねじ、または第１ボルトは、Ｘｃｍ未満の長さとするか、または（Ｘ−１）ｃｍの長さとする必要がある。
【００２５】
キットは、流出口を有する容器またはバルブを備えることができ、栓は、流出口に挿入される、かつ／または流出口を密封するように構成することができる。栓及び流出口は、ねじ山のような螺合形状を有することにより密封を実現することができる。
【００２６】
本開示の１つの態様によれば、上に記載の器具または装置を使用する方法が提供され、方法は：
ねじを、栓に対して所定の程度に回転させて、ねじのランスがダイヤフラムを破裂させることにより、または変位させるにより、ガスを流出口から外部環境に流路を通って流出させることができるステップを含む。
【００２７】
本開示の１つの態様によれば、加圧容器からのガスの放出を制御する器具が提供され、器具は：
栓を貫通する流路を備える栓と、
前記流路内に設けられるダイヤフラムであって、前記ダイヤフラムが、初期状態で、前記流路内を流れるガス流を阻止するように構成され、破裂可能または変位可能であることにより、一旦、前記ダイヤフラムが破裂するか、または変位してすると、ガスが前記流路内を流れることができる、前記ダイヤフラムと、
前記栓の内部に配置されるねじと、を備え、ねじは、前記ねじが回転すると、前記ダイヤフラムに向かって移動するように構成されるランスを備え、前記ランスは、一旦、前記ねじが所定の量だけ回転すると、前記ダイヤフラムを破裂させることにより、または変位させることにより、ガス流が前記流路内を流れて、前記栓から流出することができるように構成され、
前記ランスは、非円形横断面を備える。
【００２８】
例えば、ランスは、三角形、四角、五角形、六角形、楕円形、放物線形、双曲線形、または多角形の横断面を備えることができる。横断面は、閉鎖平面形状を備えることができる、または３つ以上の辺を有する形状を備えることができる。
【００２９】
非円形横断面は、ランスの殆どの長さに沿って設けることができる。ランスは、初期状態でダイヤフラムを破裂させる、または変位させる尖鋭端部、例えば先鋭端を備えることができる。ランスは更に、非円形横断面を、尖鋭端部を除くランスの全長に沿って、または尖鋭端部を含むランスの全長に沿って備えることができる。
【００３０】
非円形横断面は、非円形横断面がランスの長さに沿って移動するにつれて変化する。例えば、横断面は、尖鋭端部まで四角とすることができ、尖鋭端部の位置では、横断面が矩形になり、矩形は、ランスの先端または端部まで徐々に小さくなる。
【００３１】
以下に、種々の実施形態について、例を通してのみ、かつ添付の図面を参照しながら説明する。
【図面の簡単な説明】
【００３２】
【図１】１つの実施形態による栓の側面図を示している。
【図２】図１の栓の上面図を示している。
【図３Ａ】図１に示される構造の断面を示している。
【図３Ｂ】図３Ａの別の実施形態を示している。
【図３Ｃ】図３Ｂに示される構造の断面を示している。
【図４】図１の栓の別の側面図を示している。
【図５】図４に示される構造の断面を示している。
【発明を実施するための形態】
【００３３】
１つの実施形態を図１〜図５を参照しながら示す。
【００３４】
図１は、栓１０を備える器具の側面図を示しており、栓１０は、容器（図示せず）の流出口はめあわされて物質、例えばガスを高圧で保管するように配置されて適合させることができる。
【００３５】
栓１０の第１部分１２は、流出口内に延長して、第１部分１２が、密封状態を形成して、ガスが容器から漏れるのを防止するように構成することができる。第１部分１２は、栓１０の第１端部１１を含むことができる。栓１０の第１部分１２は、容器との締まりばめ機構、圧入機構、またはスナップ嵌合機構を有することができる、または栓１０の第１部分１２に、ねじ切り部を設けて、栓１０を加圧容器の流出口にねじ込むことができるようにしている。
【００３６】
密封係合は、第１部分１２の外側表面と流出口との間で行なうことができる。例えば、１つ以上のワッシャーを設けて、第１部分１２の外側表面と容器との間に嵌入することにより、又は第１部分１２の外側表面と容器との間を密封することができる、または螺合ねじ切り部を第１部分１２の外側表面及び容器に設けることができる。
【００３７】
栓の第２部分１４は、流出口の外側に残ったままの状態になるように構成することができ、肩部または表面１５を備えることができ、肩部または表面１５は、栓１０の第１部分１２が流出口内に挿入されると、容器の外面に着座するように構成することができる。第２部分１４は、第１端部１１とは反対側に配置することができる栓１０の第２端部１３を備えることができる。
【００３８】
図２は、栓１０の第２部分１４の上面図を示している。
【００３９】
第２部分１４は、略六角形とすることができ、６個の平坦部１６及び／又は６個の丸み縁部１７を備えることができる。しかしながら、第２部分１４は、いずれの特定の用途にも望まれているように、いずれの形状とすることもできる、またはいずれのサイズとすることもできる。図２の上面図から、ねじ２０を栓１０の内部に配置することができることが分かり、これについては、以下に更に詳細に説明する。
【００４０】
図３Ａは、図１の栓１０を貫通する軸方向断面を示している。
【００４１】
器具または栓１０は、内部流路３０を備えることができ、内部流路３０は、栓１０内を第１端部１１から第２端部１３まで延在することができる。ねじ２０は、内部流路３０の一部の内部に配置することができる。内部流路３０は、相対的に小さい第１内径を有する第１部分３２だけでなく、相対的に大きい第２内径を有する第２部分３４も備えることができる。第２部分３４は、ねじ切り部３６を、第２流路部分の長さの少なくとも一部に沿って備えることができる。
【００４２】
ねじ２０は、内部流路３０のねじ切り部３６と螺合するねじ切り部２２を備えることができる。ねじ２０は更に、長尺ねじ２４を含むことができ、長尺ねじ２４は、内部流路３０に沿って延在し、かつ尖った先端２６で終端する。長尺ねじ２４は円筒形であるので、長尺ねじは、円形横断面を有する、すなわち長尺ねじ２４の長手方向軸線と直交する方向に円形横断面を有する。
【００４３】
種々の実施形態では、長尺ねじは非円形横断面または不規則形横断面を備えることができる。例えば、長尺ねじ２４は三角形、四角、五角形、六角形、楕円形、放物線形、または双曲線形の横断面を備えることができる。長尺ねじ２４が四角の横断面を有する例を図３Ｂ及び図３Ｃに示す。
【００４４】
非円形断面を設けるということは、以下に説明するように、長尺ねじがダイヤフラムを貫通して突出すると、ガスがダイヤフラムから漏れてしまうことを意味する。この状態は、円筒形の長尺ねじ２４を用いる場合には、長尺ねじ２４の側面が、長尺ねじ２４が回転しているときに完全密封状態を形成することができるので、起こり得ない可能性がある、またはより起こり難くなる可能性がある。
【００４５】
空洞２８（図２も参照）を先端２６の反対側のねじ２０の端部に設けることができる。空洞２８は、スロットの形状、十字溝の形状、四角凹部の形状、または他の形状とすることができる。これにより、ねじ２０を回転させるためにねじ回しを使用することができ、例えば平頭ねじ回し、またはＰｈｉｌｉｐｓ（フィリップス）（登録商標）ねじ回しを使用することができる。
【００４６】
ねじを第１方向に、例えば時計回り方向に回転させると、ねじ２０は、栓１０の内部を、第１端部１１に向かって更に移動するようになる。ねじ２０を第２方向に、例えば反時計回り方向に回転させると、ねじは、反対方向に移動して、栓１０から飛び出すようになる。逆の構成も可能である。
【００４７】
器具は、破裂可能または変位可能なダイヤフラム４０を備えることができる。ダイヤフラム４０は、初期状態で密封機能を果たすことにより、例えばガスが容器から内部流路３０を通って漏れるのを防止することができる。栓１０、ねじ２０、及びダイヤフラム４０は全て、所定の単体ユニットと取り替え可能な、かつ／または着脱交換可能な単体ユニットの一部とすることができる。これにより、以下に説明するように、ガスを流出口から制御性良く放出しながら容器の流出口に抜き差しする簡易装置または簡易手段が得られる。
【００４８】
特定の状況では、ガスを容器から手動で、制御性良く放出させる必要があることが分かっている。本開示の技術により、このような機能性を実現することができ、実施例を図１〜図５に示す。
【００４９】
図３から分かるように、ねじ２０を第１方向に回転させると、ねじ２０は最終的に、ダイヤフラム４０に接触することができる。ねじ２０を更に回転させると、先端２６がダイヤフラム４０を突き抜ける、かつ／またはダイヤフラム４０を変位することができ、ガスを容器から放出させて内部流路３０に流入させることができる。
【００５０】
ダイヤフラム４０は、ねじ２０の材料、またはねじ２０の先端２６の材料よりも軟質である材料により形成することができる。例えば、ねじ２０または先端２６を第１金属とすることができるのに対し、ダイヤフラムは第２金属とすることができ、第２金属は第１金属よりも軟質である。これにより、ダイヤフラム４０をねじ２０が容易に突き抜けることができる。ダイヤフラム４０は、別の構成として、または更に、低強度の直線部分を備えることができ、これらの直線部分は、先端が前進すると直線部分に先端２６で刻みを入れることができるように配置することができる。ダイヤフラムは、所定の位置に、締まりばめ機構、圧入機構、またはスナップ嵌合機構で保持することができ、ねじ締め力は、ダイヤフラムを変位させるために十分大きくしなくても済む。十分大きくしなくても済むが、ねじ２０がダイヤフラムに向かって前進してダイヤフラムを貫通すると、ダイヤフラム４０を突き抜けることができる。ダイヤフラム４０は、栓１０の本体と一体に設けることができる。
【００５１】
ダイヤフラム４０をねじ２０で破裂させるのではなく、ダイヤフラム４０をねじ２０で変位させることができる他の実施形態が想到される。例えば、ダイヤフラム４０は、所定の位置に、締まりばめ機構、圧入機構、またはスナップ嵌合機構で、栓１０の第１端部１１に係合させることにより保持することができ、ねじ２０の先端２６は、ダイヤフラムをこのような配置から押し出して、または変位することにより、ガスを容器から放出することができるように構成することができる。
【００５２】
ガスは、内部流路３０から放出して、外部環境に１つ以上の流出口３８から流出させることができる。１つ以上の流出口３８を設けて、ダイヤフラム４０が破裂すると直ぐに、ガスを放出することができるようにする。任意の数の流出口３８は、いずれの特定の用途にも必要ないずれの向きにも、またはいずれの配置でも設けることができる。これらの流出口３８は、互いに反対側に配置する、または所定の他の配置で配置することにより、正味の力が、ガスがこれらの流出口から出て行く結果として絶対に作用しないようにする。
【００５３】
１つ以上の流出口３８は、栓の第２部分１４（図１参照）の内部に配置することができ、かつ／または内部流路３０の第１部分３２及び第２部分３４の両方に跨って設けることができる。このように、ねじ２０を最大限に回転させる場合でも、すなわちねじ２０をダイヤフラムが配置される第１端部１１に向かって出来る限り遠くまで移動させる場合でも、これらの流出口３８が第１流路３２内に少なくとも部分的に配置されているので、ガスは、漏れ続けることができる。
【００５４】
本明細書において説明される器具または装置を使用して、容器（図示せず）に通じる流出口に抜き差しすることができる、または流出口を密封することができる。流出口は、補助流出口とすることができる、すなわち主流出口または主バルブに通じる２次側流出口とすることができ、主流出口または主バルブは、例えば消火回路または別の器具、例えばエアバッグのような膨張器具に接続される。加圧容器には、このような補助流出口を設けて、容器内の圧力を、この構成が要求される場合に解放することができ、ガスを１次側流出口または１次側バルブから放出させて消火剤を撒き散らすという必要がない、または器具（例えば、エアバッグ）を作動させるという必要がない。
【００５５】
本明細書において説明される器具または装置を更に使用して、加圧容器からのガスの放出を制御する流出口バルブの一部に抜き差しする、または流出口バルブの一部を密封することができる。これらの実施形態では、器具を使用して、流出口バルブの一部に抜き差しする、または流出口バルブの一部を密封することができ、流出口バルブは、容器の圧力を、例えばバルブ内の密封機構の手前で受けるように構成される。栓は、バルブの接続先の容器を、バルブを作動させる必要を伴うことなく減圧する容易な手段となる。
【００５６】
本明細書において説明される栓を更に使用して、ガス発生器具、例えばガスを高速で放出するように構成される器具の流出口の一部に抜き差しすることができる、または流出口の一部を密封することができる。栓を使用して、このような器具を安全に減圧することができる。
【００５７】
栓、ダイヤフラム、及びねじは、キットの一部として提供することができる。この場合、栓内に配置することができる第１ねじだけでなく、第２ねじも設けることができ、第２ねじは、上に説明したランスを備えるねじに対応する。第１ねじは、第１ねじが、ダイヤフラムに使用中に接触することができないような長さを有することができる。このように、第１ねじは、ダイヤフラムを突き抜けることができない、または変位させることができない安全ねじ、または「ダミー」ねじとして使用することができる。栓の挿入先の容器またはバルブを減圧することが望ましい場合、本明細書において説明したように、第１ねじに代わって、第２ねじを用いることができ、第２ねじを作用させることができる。
【００５８】
本発明について、好適な実施形態を参照しながら説明してきたが、この技術分野の当業者であれば、形態及び詳細の種々の変更を、添付の請求の範囲に記載された本発明の範囲から逸脱しない限り加え得ることを理解できるであろう。
【符号の説明】
【００５９】
１０  栓
１１  第１端部
１２  第１部分
１３  第２端部
１４  第２部分
１５  肩部または表面
１６  平坦部
１７  丸み縁部
２２  ねじ切り部
２６  先端
２８  空洞
３０  内部流路
３２  第１部分
３４  第２部分
３６  ねじ切り部
３８  流出口
４０  ダイヤフラム
【図１】
0006765244.tif 000002
【図２】
0006765244.tif 000003
【図３Ａ】
0006765244.tif 000004
【図３Ｂ】
0006765244.tif 000005
【図３Ｃ】
0006765244.tif 000006
【図４】
0006765244.tif 000007
【図５】
0006765244.tif 000008